(57)【特許請求の範囲】
【請求項１】
時刻を計時する計時部と、
衛星からの信号を受信する受信部と、
前記受信部によって受信された信号に基づいて、前記時刻を修正する制御部と、
を備えた電子機器であって、
前記衛星の運行の予測に関する情報を記憶する記憶部を備え、
前記制御部は、前記記憶部に記憶されている情報に基づいて、所定の日において、受信可能な前記信号を送信する有効衛星が所定個数以上存在する時刻を、前記受信部が前記信号の受信を開始する受信開始時刻とすることを特徴とする電子機器。
【請求項２】
時刻を計時する計時部と、
衛星からの信号を受信する受信部と、
前記受信部によって受信された信号に基づいて、前記時刻を修正する制御部と、
を備えた電子機器であって、
前記衛星の運行の予測に関する情報を記憶する記憶部を備え、
前記制御部は、前記記憶部に記憶されている情報に基づいて、所定の日において、受信可能な前記信号を送信する有効衛星が所定の位置の範囲内に所定個数以上存在する時刻を、前記受信部が前記信号の受信を開始する受信開始時刻とすることを特徴とする電子機器。
【請求項３】
時刻を計時する計時部と、
衛星からの信号を受信する受信部と、
前記受信部によって受信された信号に基づいて、前記時刻を修正する制御部と、
を備えた電子機器であって、
前記衛星の運行の予測に関する情報を記憶する記憶部を備え、
前記制御部は、前記記憶部に記憶されている情報のうち、所定の衛星の運行の予測に関する情報に基づいて、所定の日において、前記受信部が前記信号の受信を開始する受信開始時刻を決定することを特徴とする電子機器。
【請求項４】
前記衛星の運行の予測に関する情報は、各衛星の運行ルートおよび各時刻における予測位置に関する情報であることを特徴とする請求項１〜３のいずれか一つに記載の電子機器。
【請求項５】
前記記憶部に記憶されている情報を更新する情報更新部を備えたことを特徴とする請求項１〜４のいずれか一つに記載の電子機器。
【発明の詳細な説明】
【技術分野】
【０００１】
この発明は、衛星からの信号を受信する電子機器に関する。
【背景技術】
【０００２】
従来、電波修正時計などのように、ＧＰＳ信号を含む電波を受信して、受信した電波に基づいて、自機器が示す日時を修正し、現在位置の緯度経度情報を測位する電子機器がある。ＧＰＳ信号を含む電波を受信する際には、確実に衛星を捕捉する必要があるため、ＧＰＳ信号を含む電波を受信できる場所は限定される。また、このような電子機器には、受光した光により発電するソーラーセルや、ソーラーセルにおいて発電された電力を蓄電する二次電池を備え、二次電池を電源として動作するものがある。
【０００３】
それらの従来のソーラーセルおよび二次電池を備えた電子機器の中でも、ＧＰＳ信号を含む電波を受信する機能を備えたものは、ＧＰＳ信号を含む電波を受信するのに多くの電力を消費する。そこで、そのような電子機器にあっては、蓄電量に限りがあるため、電波の受信処理の成功率を向上させることで、受信時間が長くなってしまうことや受信回数が増えてしまうことを抑制し、電波の受信処理に消費される電力をできる限り抑制することが望まれている。
【０００４】
したがって、ＧＰＳ信号を含む電波をあらかじめ定められた日に自動で受信処理する定刻受信を実行する際には、そのタイミング（受信開始時刻）について工夫する必要がある。
【０００５】
従来の電子時計において、自動受信時刻を、過去に受信に成功した時刻とする技術がある（たとえば、下記特許文献１を参照。）。
【０００６】
また、従来の電子時計において、自動受信時刻を、電子時計の使用環境が屋外である可能性が高い通勤時間帯とする技術がある（たとえば、下記特許文献２を参照。）。
【０００７】
また、従来の電子時計において、定時受信を開始する際に、一番受信可能性が高いＧＰＳ衛星を優先的に選択し、その情報を記憶し、当該ＧＰＳ衛星からＧＰＳ時刻データを受信する技術がある（たとえば、下記特許文献３を参照。）。
【先行技術文献】
【特許文献】
【０００８】
【特許文献１】特開２０１３−５０３４８号公報
【特許文献２】特開２０１３−２０５３６３号公報
【特許文献３】特開２００９−３６６２２号公報
【発明の概要】
【発明が解決しようとする課題】
【０００９】
しかしながら、上記のような電波修正時計においては、衛星の位置は刻々と変化するため、過去に成功した時刻に受信を開始するようにしても、成功率の向上に寄与できない場合がある。また、屋外であっても、その際の衛星の位置は、衛星の運行状況によって異なるため、やはり成功率の向上に寄与できない場合がある。また、定時受信を開始する際に、所定の衛星を優先的に選択するのでは、定時受信の最適な受信開始時刻を予測して、あらかじめ設定しておくことはできないという問題点がある。
【００１０】
この発明は、上述した従来技術による問題点を解消するため、定刻受信をおこなう際の成功率を向上させ、定刻受信における省電力化を実現できる電子機器を提供することを目的とする。
【課題を解決するための手段】
【００１１】
上述した課題を解決し、目的を達成するため、この発明にかかる電子機器は、時刻を計時する計時部と、衛星からの信号を受信する受信部と、前記受信部によって受信された信号に基づいて、前記時刻を修正する制御部と、を備えた電子機器であって、前記衛星の運行状況に関する情報を記憶する記憶部を備え、前記制御部は、前記記憶部に記憶されている情報に基づいて、所定の日において、前記受信部が前記信号の受信を開始する受信開始時刻を決定することを特徴とする。
【００１２】
また、この発明にかかる電子機器は、上記発明において、前記制御部が、前記所定の日において、受信可能な前記信号を送信する有効衛星が所定個数以上存在する時刻を前記受信開始時刻とすることを特徴とする。
【００１３】
また、この発明にかかる電子機器は、上記発明において、前記制御部が、前記所定の日において、受信可能な前記信号を送信する有効衛星が所定の位置の範囲内に所定個数以上存在する時刻を前記受信開始時刻とすることを特徴とする。
【００１４】
また、この発明にかかる電子機器は、上記発明において、前記制御部が、前記所定の日における所定の衛星の運行状況に基づいて、前記受信開始時刻を決定することを特徴とする。
【００１５】
また、この発明にかかる電子機器は、上記発明において、前記記憶部に記憶されている情報を更新する情報更新部を備えたことを特徴とする。
【発明の効果】
【００１６】
この発明にかかる電子機器によれば、より確実に定刻受信を成功させることができ、定刻受信における省電力化を実現することができるという効果を奏する。
【図面の簡単な説明】
【００１７】
【図１】この発明にかかる実施の形態の電子機器の一例である電波修正時計の外観を示す説明図である。
【図２】この発明にかかる実施の形態の電波修正時計のハードウエア構成を示す説明図である。
【図３】この発明にかかる実施の形態の電波修正時計の機能的構成を示す説明図である。
【図４】地球上を周回するＧＰＳ衛星の関係を示す説明図である。
【図５】緯度経度と衛星軌道の関係を示す説明図である。
【図６Ａ】地球上を周回するＧＰＳ衛星の運行状況を示すスカイプロット図（その１）である。
【図６Ｂ】地球上を周回するＧＰＳ衛星の運行状況を示すスカイプロット図（その２）である。
【図６Ｃ】地球上を周回するＧＰＳ衛星の運行状況を示すスカイプロット図（その３）である。
【図６Ｄ】地球上を周回するＧＰＳ衛星の運行状況を示すスカイプロット図（その４）である。
【図７】受信開始時刻の決定にかかる制御部の処理手順の一例を示すフローチャートである。
【図８】人工衛星からの電波の受信にかかる制御部の処理手順の一例を示すフローチャートである。
【図９】人工衛星の運行状況に関する情報の更新処理のタイミングの一例を示すフローチャートである。
【図１０】受信開始時刻の決定処理のタイミングの一例を示すフローチャートである。
【発明を実施するための形態】
【００１８】
以下に添付図面を参照して、この発明にかかる電子機器の好適な実施の形態を詳細に説明する。この発明にかかる実施の形態の電子機器として、電波修正時計への適用例について説明する。
【００１９】
（電波修正時計の構成）
まず、この発明にかかる実施の形態の電波修正時計の構成について説明する。図１は、この発明にかかる実施の形態の電子機器の一例である電波修正時計の外観を示す説明図である。図１において、この発明にかかる実施の形態の電波修正時計１００は、電波修正時計１００の外装をなすケース（外装ケース）１０１を備えている。ケース１０１は、たとえば、金属材料を用いて形成され、両端が開口した略円筒形状をなす。
【００２０】
略円筒形状をなすケース１０１の一端側（表側）には、当該表側の開口を閉塞する風防ガラス１０２と、当該風防ガラス１０２の周縁を支持するベゼル１０３と、が設けられている。風防ガラス１０２は、サファイヤガラスのように光透過性を有する材料を用いて形成されており、略円板形状をなす。ベゼル１０３は、風防ガラス１０２の直径と略同一の内径の環形状をなし、たとえば、金属材料を用いて形成することができる。
【００２１】
ケース１０１の他端側（裏側）には、図示は省略するが、当該裏側の開口を閉塞する裏蓋部材が設けられている。裏蓋部材の材質や構成、ケース１０１に対する取り付け方法については、公知の各種の技術を用いて容易に実現可能であるため、その説明を省略する。また、裏蓋部材とケース１０１とは別々の構成でなくてもよく、一体とされた、いわゆるワンピース構造のケースであってもよい。
【００２２】
ケース１０１には、操作手段１０４が設けられている。操作手段１０４は、たとえば、竜頭や操作ボタンなどによって実現することができる。ケース１０１に対する竜頭の位置は、たとえば、ケース１０１から引っ張られることにより、複数段（たとえば、３段）に調整することができる。操作手段１０４は、使用者による操作を受け付けた場合に、操作内容に応じた信号を制御回路（図２を参照）に対して出力する。制御回路は、操作手段１０４が受け付けた操作入力の内容に応じて、衛星信号の受信処理などの各種処理を実行する。
【００２３】
ケース１０１の内側には、文字板１０５が設けられている。文字板１０５には、時刻指示針１０６の位置すなわち時刻を示すインデックス（指標）１０７が設けられている。時刻指示針１０６は、文字板１０５の表面側に文字板１０５の中心を回転中心として回転可能な状態で設けられ、金属材料やプラスチックなどを用いて形成される。より具体的には、時刻指示針１０６は、たとえば、時針１０６ａ、分針１０６ｂ、秒針１０６ｃなどによって構成される。また、時針、分針、秒針に加えて、図示を省略する日板を備えていてもよい。
【００２４】
各時刻指示針１０６は後述する駆動機構によって回転駆動し、この各時刻指示針１０６の位置によって、現在の時刻を表示したり、操作手段１０４の入力信号に応じて情報を表したりすることができる。ここで、文字板１０５、時刻指示針１０６、インデックス１０７、後述の表記１０８をまとめて情報表示手段１０９とする。
【００２５】
インデックス１０７は、時刻指示針１０６の軸心を中心とする円周上に配置され、たとえば、文字、数字、記号、目盛またはそれらの組み合わせなどによって表現することができる。このインデックス１０７は、たとえば、金属部材により立体的に配置したり、文字板１０５に印刷したりすることによって形成される。
【００２６】
また、文字板１０５の最外周部分には、表記１０８が設けられている。表記１０８には、世界の各都市（２７都市）の略文字が示されている。たとえば、０秒の位置にＬＯＮ（ロンドン）、・・・２２秒の位置にＴＹＯ（東京）、・・・３０秒の位置にＡＫＬ（アンカレッジ）、・・・５７秒の位置にＰＤＬ（アゾレス諸島（ポンタデルガダ））が、それぞれ示されている。操作手段１０４が操作されると、時刻指示針１０６（たとえば分針１０６ｂまたは秒針１０６ｃ）が都市の略文字を指し示すことにより、現在地のタイムゾーンを表示したり、使用者が任意のタイムゾーンを選択指定したりすることができる。なお、表記１０８はベゼル１０３に設けてもよい。
【００２７】
本実施形態の電波修正度計１００は、正確な時刻情報をもつ電波を受信するためのアンテナ（図示を省略する）をケース１０１内に備えている。アンテナの種類は、受信する電波に応じて、たとえば、パッチアンテナ、リングアンテナ、チップアンテナなどを適宜選択することができる。
【００２８】
ケース１０１と裏蓋部材と文字板１０５とによって囲まれる空間には、図示を省略するが、電池を含む電源回路、時刻指示針１０６を回転駆動する駆動機構、アンテナが受信した電波から所定の信号を出力する受信回路、外部通信回路、これらの回路などを制御する制御回路が設けられている。電源回路は、電池を二次電池としソーラーセルと組み合わせた構成としてもよい。
【００２９】
（電波修正時計１００のハードウエア構成）
つぎに、この発明にかかる実施の形態の電波修正時計１００のハードウエア構成について説明する。図２は、この発明にかかる実施の形態の電波修正時計１００のハードウエア構成を示す説明図である。
【００３０】
図２において、この発明にかかる実施の形態の電波修正時計１００は、アンテナ２０１と、受信回路２０２と、制御回路２０３と、電源２０４と、外部通信回路２０６と、ソーラーセル２０５と、駆動機構２０７と、情報表示手段１０９と、操作手段１０４と、を備えている。
【００３１】
アンテナ２０１は、ＧＰＳ（Ｇｌｏｂａｌ  Ｐｏｓｉｔｉｏｎｉｎｇ  Ｓｙｓｔｅｍ）衛星などの人工衛星から送信される衛星信号（ＧＰＳ信号を含む電波）を受信する。具体的には、アンテナ２０１は、たとえば、ＧＰＳ衛星から送信される、周波数約１．６ＧＨｚの電波を受信するパッチアンテナによって実現することができる。ＧＰＳ衛星は、それぞれ、地球の周回軌道を周回しており、高精度の原子時計を搭載し、当該原子時計によって計時された時刻情報を含んだ衛星信号を周期的に送信する。アンテナ２０１は、複数のＧＰＳ衛星から送信される衛星信号を受信する。
【００３２】
各ＧＰＳ衛星は、計２５フレーム（ページ）を１セットとする航法データを繰り返し送信している。各フレームは３０秒分の信号を含んでおり、ＧＰＳ衛星は、全２５フレームの信号を１２．５分周期で送信する。さらに、各フレームは、５個のサブフレームから構成される。１フレームが３０秒なので、１つのサブフレームは６秒分の信号に相当する。１つのサブフレームは、１０ワードから構成され、１ワード３０ビット、１サブフレーム全体で３００ビット分の情報を含んでいる。
【００３３】
各サブフレームの先頭ワード（第１ワード）は、ＴＬＭ（ＴｅＬｅＭｅｔｒｙ  ｗｏｒｄ）と称され、その先頭部分（すなわち、サブフレーム全体の先頭部分）には、当該サブフレームの開始位置を示すプリアンブルが含まれる。さらに各サブフレームの２番目のワード（第２ワード）は、ＨＯＷ（ＨａｎｄＯｖｅｒ  Ｗｏｒｄ）と称され、その先頭部分には、ＴＯＷ（Ｔｉｍｅ  Ｏｆ  Ｗｅｅｋ）と呼ばれる時刻情報が含まれている。
【００３４】
ＴＯＷは、週の始まり（日曜日の午前０：００）を起点としたＧＰＳ時刻を示す時刻情報である。電波修正時計１００は、１または複数のＧＰＳ衛星からこのＴＯＷのデータを受信して、ＷＮ（Ｗｅｅｋ  Ｎｕｍｂｅｒ）と呼ばれる週番号の情報と組み合わせることで、ＧＰＳ衛星によって計時されているＧＰＳ時刻を知ることができる。ＷＮは、ＴＯＷにより表される時刻が属する週の番号を示す情報であって、週に１度、日曜日の午前０：００になるごとにカウントアップされる。ＷＮの情報は、各フレームの第１サブフレーム内に格納されてＧＰＳ衛星から送信されている。
【００３５】
ＷＮとＴＯＷのデータによって得られるＧＰＳ時刻は、協定世界時に対して、閏秒の累積によって生じた整数秒分のずれがある。ＧＰＳ衛星は、このずれを補正するために用いられる閏秒補正値の情報も送信する。具体的に、閏秒補正値の情報は、航法データのうち、第１８ページ目のフレームの第４サブフレームに格納されている。電波修正時計１００は、この閏秒補正値の情報を受信し、ＧＰＳ時刻に対して閏秒補正値を用いた補正をおこなうことで、協定世界時に準拠した時刻情報を取得する。第１８ページ目のフレームの第４サブフレームには、閏秒補正値だけでなく、次回の閏秒更新予定日時を示す情報が含まれている。電波修正時計１００は、閏秒補正値とともに、閏秒更新予定日時に関する情報を受信する。
【００３６】
また、アンテナ２０１は、所定の送信局から送信される標準電波を受信してもよい。標準電波は、標準時と周波数の国家標準または国際標準として政府や国際機関が送信している電波であって、たとえば、ＪＪＹ（登録商標）などの標準周波数報時局から送信され、タイムコードが重畳されている。
【００３７】
上述のように、各ＧＰＳ衛星のその時々の位置は送信電波に記述されている。また、ＧＰＳ衛星と地上の受信機である電波修正時計１００には時計が搭載されているので、ＧＰＳ衛星からの電波が電波修正時計１００に達するまでに要した時間がわかり、時間Δｔ×電波速度（光速）で、衛星と受信機間の距離が算出できる。したがって、電波修正時計１００の座標（Ｘ，Ｙ，Ｚ）は３個のＧＰＳ衛星から電波を受信することで、三角測量で求めることができる。ただし、実際には時計にも誤差があるので未知数は（Ｘ，Ｙ，Ｚ，ｔ）の４つとなり、４個の衛星から電波を受信する必要がある。
【００３８】
受信回路２０２は、アンテナ２０１によって受信された衛星信号を復号して、復号の結果得られる衛星信号の内容を示すビット列（受信データ）を出力する。具体的に、受信回路２０２は、アナログ信号に対して増幅、検波をおこなって、ベースバンド信号に変換する高周波回路（ＲＦ回路）２０２ａと、ベースバンド信号を復号してＧＰＳ衛星から受信したデータの内容を示すビット列を生成し制御回路２０３に対して出力するデコード回路２０２ｂとを含んで構成されている。各回路の構成は公知技術を用いることができるため詳細は省略する。
【００３９】
制御回路２０３は、演算手段２０３ａと、ＲＯＭ（Ｒｅａｄ  Ｏｎｌｙ  Ｍｅｍｏｒｙ）２０３ｂと、ＲＡＭ（Ｒａｎｄｏｍ  Ａｃｃｅｓｓ  Ｍｅｍｏｒｙ）２０３ｃと、ＲＴＣ（Ｒｅａｌ  Ｔｉｍｅ  Ｃｌｏｃｋ）２０３ｄと、駆動回路２０３ｅと、記憶手段２０３ｆと、を含んで構成されるマイクロコンピュータによって実現することができる。
【００４０】
演算手段２０３ａは、ＲＯＭ２０３ｂに格納された各種の制御プログラムに従って各種の情報処理をおこなう。ＲＡＭ２０３ｃは、演算手段２０３ａのワークメモリとして機能し、演算手段２０３ａの処理対象となるデータが書き込まれる。
【００４１】
ＲＴＣ２０３ｄは、いわゆる発振回路であり、演算手段２０３ａに対して、電波修正時計１００内部での計時に使用されるクロック信号を出力する。通常、演算手段２０３ａは、ＲＴＣ２０３ｄが出力したクロック信号に基づいて内部時刻を計時するが、受信回路２０２から正確な時刻情報の信号が入力されたときは、その信号情報に基づいて計時データを修正し、情報表示手段１０９に表示すべき時刻（表示時刻）を決定する。駆動回路２０３ｅは、演算手段２０３ａが決定した表示時刻に応じて、駆動機構２０７に対して駆動信号を出力する。
【００４２】
記憶手段２０３ｆは、書き換え可能なメモリなどから構成されており、演算手段２０３ａで求めたデータや、受信回路２０２から出力された人工衛星の運行状況に関する情報や、後述する外部通信回路２０６によって入力されたデータを記憶しておき、演算手段２０３ａや操作手段１０４からの必要な信号に応じてデータを出力する。
【００４３】
駆動機構２０７は、駆動回路２０３ｅから出力される駆動信号に応じて動作するモータや輪列を含んで構成することができる。モータは、具体的には、たとえば、ステップモータによって実現することができ、駆動回路２０３ｅから出力される駆動パルスに応じた正転（右回り）または逆転（左回り）の回転動作をおこなう。駆動機構２０７は、ステップモータの回転を、輪列を介して情報表示手段１０９の時刻指示針１０６に伝達することによって、当該時刻指示針１０６を回転させる。
【００４４】
駆動機構２０７において、モータは、一つであっても複数であってもよい。複数のモータを備える電波修正時計１００においては、たとえば、時刻指示針１０６を実現する時針、分針、秒針などを、それぞれ独立したモータによって独立して駆動することができる。
【００４５】
電源２０４は、受信回路２０２や制御回路２０３など、電波修正時計１００が備える各部に電力を供給する。この実施の形態の電波修正時計１００において、電源２０４は、たとえば、二酸化マンガンリチウム電池などの一次電池やリチウムイオン電池などの二次電池によって実現することができる。
【００４６】
また、電源２０４にソーラーセル２０５（太陽電池）を接続し、発電された電力によって蓄電するようにしてもよい。このとき、電源２０４は昇圧回路や制御回路をさらに設ける必要があるが、ソーラーセル２０５を含めた電源２０４の具体的構成や動作については公知技術を用いることができるため、その説明を省略する。
【００４７】
また、制御回路２０３はこのソーラーセル２０５の発電量を検出し使用環境の明暗を判断し報知できるようにしてもよい。発電量は、ソーラーセル２０５の起電圧や電源２０４に流れる電流値から計測することができるため、あらかじめ定められた閾値を上回ると判断した場合に、「明」を、下回ると判断した場合に、「暗」を出力すればよい。この明暗判断は後述する自動受信時刻を求めるときの判断基準の一部として用いることができる。
【００４８】
電波修正時計１００は、衛星の運行状況に関する情報を衛星電波以外の方法で取得するための外部通信回路２０６を備えていてもよい。外部通信回路２０６は、外部装置とのデータ通信をおこなうものであり、通信方法は、たとえば、Ｂｌｕｅｔｏｏｔｈ（登録商標）や、Ｗｉ−Ｆｉ（Ｗｉｒｅｌｅｓｓ  Ｆｉｄｅｌｉｔｙ、登録商標）のような無線通信でもよいし、ＵＳＢ（Ｕｎｉｖｅｒｓａｌ  Ｓｅｒｉａｌ  Ｂｕｓ）ケーブルなどを用いた有線による通信であってもよい。外部通信回路２０６が受信した情報は記憶手段２０３ｆに記憶される。
【００４９】
なお、電波修正時計１００は、情報表示手段１０９とは別に通知手段を設け、時刻指示針１０６以外の手段で情報を使用者に通知できるようにしてもよい。通知内容としては、たとえば、衛星受信の成功の可否やソーラーセル２０５の発電量などを知らせるための信号を出力する。通知手段は、液晶、発光素子、スピーカなどを用いることができ、制御回路２０３からの信号に応じて通知を実現する。また、計時と同様に、時刻指示針１０６とは別の指針部材にて通知する構成としてもよい。
【００５０】
（電波修正時計１００の機能的構成）
つぎに、この発明にかかる実施の形態の電波修正時計１００の機能的構成について説明する。図３は、この発明にかかる実施の形態の電波修正時計の機能的構成を示す説明図である。図３において、この発明にかかる実施の形態の電波修正時計１００の各機能は、制御部３００と、計時部３０１と、受信部３０２と、記憶部３０３と、情報更新部３０４、表示部３０５と、の各部とによって実現することができる。
【００５１】
制御部３００は、電波修正時計１００の全体の制御を司る。制御部３００の機能は、たとえば図２における制御回路２０３などによって実現することができる。
【００５２】
計時部３０１は、図２における電源２０４の電力を用いて時刻を計時する。計時部３０１の機能は、たとえば、図２におけるＲＴＣ２０３ｄによって実現することができる。表示部３０５は、計時部３０１によって計時される時刻を表示する。表示部３０５の機能は、たとえば、図２における情報表示手段１０９によって実現することができる。
【００５３】
受信部３０２は、衛星、すなわち、たとえばＧＰＳ衛星など、時刻信号や測位信号などの信号を発信している人工衛星からの衛星信号などからなる電波を受信する。また、受信部３０２は、時刻情報を含む標準電波も受信するようにしてもよい。受信部３０２の機能は、たとえば図２におけるアンテナ２０１および受信回路２０２などによって実現することができる。
【００５４】
記憶部３０３は、人工衛星の運行状況に関する情報を記憶する。記憶部３０３の機能は、たとえば図２における記憶手段２０３ｆなどによって実現することができる。また、情報更新部３０４は、記憶部３０３に記憶されている情報を更新する。情報更新部３０４の機能は、たとえば図２における演算手段２０３ａの演算データや、外部通信回路２０６の通信データによって実現することができる。
【００５５】
情報更新部３０４により、人工衛星の運行状況に関する情報を更新し、最新の情報にアップデートすることによって、より正確な人工衛星の軌道上の位置を把握することができる。情報更新部３０４の更新のタイミングなどを含む更新処理の詳細については、後述する。また、記憶部３０３に記憶された人工衛星の運行状況に関する情報は、新たな情報が更新されるまでそのまま記憶部３０３に記憶したままでもよく、また、後述する受信開始時刻が決定され、保存された後は、人工衛星の運行状況に関する情報は必要ない場合もあり、必要がある際に再度受信すれば足りるので、情報更新部３０４は、記憶部３０３に記憶された当該人工衛星の運行状況に関する情報を削除するようにしてもよい。
【００５６】
このような構成において、制御部３００は、受信部３０２によって受信された信号に基づいて、計時部３０１によって計時されている時刻を修正する。具体的には、上述したように、図２における演算手段２０３ａが、計時している内部時刻を、受信回路２０２によって受信された衛星信号に基づいて修正し、情報表示手段１０９に表示すべき時刻（表示時刻）を決定するとともに、駆動回路２０３ｅを制御して、演算手段２０３ａが決定した表示時刻に応じて、駆動機構２０７に対して駆動信号を出力し、時刻指示針１０６を所定位置へ回動させる。
【００５７】
また、制御部３００は、記憶部３０３に記憶されている人工衛星の運行状況に関する情報に基づいて、所定の日において受信部３０２が信号の受信を開始する受信開始時刻を決定する。ここで、所定の日とは、あらかじめ設定された条件によって決定する日であり、あらかじめ定められた時刻になると自動的に受信を開始する定刻受信の予定日（「定刻受信予定日」）である。所定の日（「定刻受信予定日」）は、計時部３０１が計時している時刻と、現在地点の緯度経度に関する情報に基づいて決定する。
【００５８】
定刻受信予定日は、たとえば、毎日であってもよく、『毎月１日と１５日』という設定であってもよく、『毎週月曜日』という設定であってもよい。また、あらかじめ定められた暦の日や曜日ではなく、たとえば、５日間隔というように、暦の日や曜日とは無関係に、所定日間隔にするという設定であってもよい。これらの定刻受信予定日については、使用者が任意に設定してもよい。また、定刻受信予定日は、毎回５日間隔ではなく、前回受信に成功した日から５日間隔とし、前回受信に失敗した場合は、それとは異なる間隔の日とするなど、当該所定日間隔を自動で延ばしたり縮めたりするようにしてもよい。
【００５９】
また、定刻受信予定日は、毎月同じ日ではなく、月によって異なる日としてもよい。たとえば、『１月は２０日のみ』、『８月は１０日、２０日、３０日』、『１２月は３１日のみ』などとしてもよい。また、所定の日は、現在地によって異なる日としてもよい。たとえば、『東京では毎月３日』、『ニューヨークでは毎月２日』などとしてもよい。また、現在地における祝祭日に関する情報を記憶しておき、『祝祭日のみ』あるいは『祝祭日を除く』としてもよい。このように、使用者の使用態様に応じて、定刻受信予定日を設定、変更、削除ができるようにしてもよい。
【００６０】
記憶部３０３に記憶されている人工衛星の運行状況に関する情報とは、人工衛星の運行の予測に関する情報を含む。具体的には、各人工衛星の運行ルートおよび各時刻における予測位置などに関する情報である。
【００６１】
出願時において、ＧＰＳ衛星は３０機ほど打ち上げられており、それぞれのＧＰＳ衛星は、図４および図５に示すような軌道イメージで周回している。ある地点において、ＧＰＳ衛星のすべてが常に捕捉、すなわち通信可能となるわけではなく、測定する地点および測定する時間によって、捕捉できるＧＰＳ衛星の数が異なる。したがって、地球上のある地点においては、受信可能な人工衛星、すなわち、ある地点における上空に存在し、当該地点において捕捉することが可能な人工衛星の数は、時刻によって変化する。
【００６２】
図６Ａ〜図６Ｄは、地球上を周回するＧＰＳ衛星の運行状況を示すスカイプロット図である。図６Ａ〜図６Ｄは、それぞれ半球体をイメージしており、たとえば、０°と示した方角を「北」、９０°と示した方角を「東」、１８０°と示した方角を「南」、２７０°と示した方角を「西」とし、円の中心は天頂方向（空の真上であり地面に対して９０°）を示している。最外円が仰角０°で、内側の円が仰角３０°、さらに内側の円が仰角６０°である。図６Ａ〜図６Ｄにおいて、小さい円がＧＰＳ衛星を示している。その中の数字が衛星の番号を示している。電波修正時計１００のケースは専ら金属であることから、仰角０〜３０°までは受信感度が落ちる場合がある。したがって、仰角３０°以上において捕捉できる衛星数として示している。
【００６３】
図６Ａに示すように、東京のある日付の１１時２０分において捕捉することができるＧＰＳ衛星数は３つ（衛星番号「１６」、「２６」、「３１」）であり、図６Ｂに示すように、同日の１６時４０分には７つ捕捉できる（衛星番号「１」、「４」、「７」、「１１」、「１９」、「３０」、「３２」）ことがわかる。同様に、図６Ｃに示すように、ロンドンのある日の１８時５０分において捕捉することができるＧＰＳ衛星数は２つであり、図６Ｄに示すように、６時２０分には７つ捕捉できることがわかる。
【００６４】
このように、各人工衛星の運行ルートおよび各時刻における予測位置などに関する情報に基づいて、ある日時における緯度経度によって特定する現在地における人工衛星の捕捉数を算出することができる。
【００６５】
制御部３００は、記憶部３０３に記憶されている人工衛星の運行状況に関する情報に基づいて、所定の日において、受信部３０２が信号の受信を開始する受信開始時刻を決定する。具体的には、たとえば、制御部３００は、所定の日において、受信可能な信号を送信する有効な人工衛星（「有効衛星」）が所定個数以上存在する時刻を受信開始時刻とする（「決定条件１」）。
【００６６】
人工衛星からの信号を受信するにあたっては、有効衛星数が多い方が成功確率は高い。したがって、制御部３００は、現在地（測時・測位する座標）における有効衛星が所定個数（たとえば７個）以上存在する時刻を定刻受信の時刻に決定する。あるいは、有効衛星が所定個数（たとえば５個）以下の場合は、定刻受信の開始時刻から除外するようにしてもよい。
【００６７】
また、制御部３００は、人工衛星からの信号を受信するにあたり、建物などの影響を受けないようにするために、所定の位置の範囲（たとえば、仰角６０°以上の範囲）内において、有効衛星が所定個数（たとえば４個）以上存在する時刻を前記受信開始時刻に決定するようにしてもよい。あるいは、有効衛星が所定個数（たとえば２個）以下の場合は、定刻受信の開始時刻から除外するようにしてもよい（「決定条件２」）。
【００６８】
さらに、制御部３００は、これらの決定条件１と決定条件２を組み合わせて、たとえば、仰角３０°以上の範囲には有効衛星数が７個以上で、かつ、仰角６０°以上の範囲には有効衛星数が４個以上存在することを条件として定刻受信の開始時刻としてもよい。また、上記所定の位置の範囲内は、仰角の範囲には限定されず、たとえば特定の方位の範囲内など、別の条件であってもよい。
【００６９】
また、制御部３００は、所定の日における所定の衛星、すなわち、複数の人工衛星（たとえば約３０個のＧＰＳ衛星）のうちの特定の一つまたは複数の人工衛星（「特定衛星」）の運行状況に基づいて、受信開始時刻を決定するようにしてもよい（「決定条件３」）。具体的には、特定衛星が有効衛星となっていることを条件としてもよい。また、特定衛星の軌道上の位置（たとえば現在地からの仰角、所定の方位など）に基づいて、特定衛星が所定の位置の範囲内に存在することを条件とするようにしてもよい。
【００７０】
また、特定衛星が有効衛星となっている間の当該特定衛星の軌道を考慮してもよい。具体的には、当該特定衛星が天空上の所定の位置（たとえば、仰角８０°以上の範囲）を通過することを条件としてもよい。また、複数の特定衛星が同時に有効衛星となっていることを条件とするようにしてもよく、複数の特定衛星のうちの少なくともいずれかが有効衛星となっていることを条件とするようにしてもよい。
【００７１】
特定衛星は、たとえば、過去に受信に成功した人工衛星としてもよい。また成功回数が所定回数以上の人工衛星としてもよい。また、過去に受信に失敗した人工衛星を特定衛星とした場合に、当該受信に失敗した特定衛星が有効衛星となっている時間帯を除外するような条件を設定してもよい。また、特定衛星および当該特定衛星の軌道上の位置などに関する条件は、工場出荷時にあらかじめ設定してもよく、また、使用者が任意に設定してもよい。
【００７２】
また、上記決定条件１と決定条件３とを組み合わせてもよい。具体的には、たとえば有効衛星が所定個数以上であって、かつ、特定衛星の少なくとも一つ、あるいは、特定衛星すべてが有効衛星となっていることを条件とするようにしてもよい。また、決定条件１のうち有効衛星の個数から過去に受信に失敗した人工衛星を特定衛星の個数から除いた個数が所定個数以上あることを条件としてもよい。
【００７３】
また、上記決定条件２と決定条件３とを組み合わせてもよい。さらに、上記決定条件１と決定条件２と決定条件３とを組み合わせてもよく、また、さらに、他の条件と組み合わせてもよい。
【００７４】
上記の条件に該当する受信時刻がたとえば受信日中に複数存在する場合に、どの受信時刻にするか、すなわち、絞り込み処理をおこなうようにしてもよい。絞り込み処理は、１つの時刻に絞り込んでもよく、複数（たとえば３つ）の時刻に絞り込んでもよい。
【００７５】
１つの時刻に絞り込む方法の条件例としては、たとえば、決定された複数の時刻（時間帯）の中で一番早い時刻を受信時刻とするようにしてもよい（「絞り込み条件１」）。または、一番遅い時刻を受信時刻とするようにしてもよい（「絞り込み条件２」）。また、受信時間帯における複数の衛星の中から所定の仰角以内（たとえば６０°以内）での滞在時間が最短となる衛星に注目し、各受信時刻における最短となる衛星の中でも滞在時間が最長となる条件に基づいて受信時刻を決定してもよい（「絞り込み条件３」）。また、各受信時刻において観測される衛星の仰角の総和が最大となる条件を受信時刻としてもよい（「絞り込み条件４」）。仰角の総和が大きいということは、天頂方向に集中していることになるため、成功率をより高めることができる。
【００７６】
また、たとえば、上述した通知手段を用いて、複数の受信時刻候補を使用者に通知し、通知した複数の受信時刻候補の中から、所望の時刻を使用者に選択させるようにしてもよい（「絞り込み条件５」）。
【００７７】
複数の時刻に絞り込む場合は、絞り込んだ時刻のうち最も早い時刻を受信時刻に設定し、受信が成功した場合は、絞り込んだうちの他の候補の時刻では受信をおこなわないようにしてもよい。また、受信が失敗した場合には、そのつぎに早い時刻とすることができ、可能な限り、その日のうちに受信を完了させるようにすることができる。
【００７８】
複数の絞り込み方としては、たとえば３つに絞り込む場合には、上述の絞り込み条件１〜４を満たす上位３位を決定し、その中から早い時刻順に受信時刻に設定してもよい。上述の絞り込み条件４を例にすると、仰角の総和が大きい順に上位から３つ時刻を決定し、早い時刻順に受信時刻に設定する。また、上述の絞り込み条件１〜４のそれぞれの１位を算出し、その中から早い時刻順に受信時刻に設定してもよい。
【００７９】
また、上述した通知手段を用いて、複数の受信時刻候補を使用者に通知し、通知した複数の受信時刻候補の中から、絞り込む数だけ所望の時刻を使用者に選択させ、その選択された複数の時刻の中から早い時刻順に受信時刻に設定するようにしてもよい。
【００８０】
また、複数の時刻に絞り込んだ場合に、さらに、上述した発電量による「明」、「暗」の判断データを条件として加えて、受信時刻でかつ「明」である場合は受信時刻を開始するようにし、「暗」である場合はつぎに早い時刻にしてもよい。このつぎに早い時刻においても、上記と同様に、「明」、「暗」の判断データを用いて受信時刻を開始するようにしてもよい。このように、受信前に明暗判断をすることで、発電を確保し、受信による消費電力によって蓄電量が減少するのを抑制することができる。また、この「明」、「暗」の判断を用いて屋内であるか屋外であるかの判定をしてもよく、「暗」の場合は屋内であると判定し、屋外時に比べて受信成功確率の低い屋内での受信はおこなわないとすることができる。
【００８１】
（受信開始時刻の決定処理の手順）
つぎに、受信開始時刻の決定処理の手順について説明する。図７は、受信開始時刻の決定にかかる制御部の処理手順の一例を示すフローチャートである。図７のフローチャートにおいて、制御部３００は、現在地の位置情報を特定する（ステップＳ７０１）。そして、特定した現在地の位置情報に基づいて、定刻受信予定日における衛星ごとの運行状況に関する情報をそれぞれ抽出する（ステップＳ７０２）。
【００８２】
ここで、位置情報を特定するにあたっては、ＧＰＳ衛星を用いて経度緯度を求めてもよい。また、あらかじめ位置情報として都市名の情報を記憶させておき、求めた経度緯度に最も近い都市名を位置情報としてもよい。さらに、たとえば、使用者に表記１０８の都市名を選択させ、選択された都市名を位置情報として特定するようにしてもよく、その他の方法であってもよい。
【００８３】
つぎに、抽出された情報から、決定条件に基づいて時刻を算出する（ステップＳ７０３）。決定条件に基づく算出は、具体的には、たとえば、有効衛星が所定個数（たとえば７個）以上になる時刻（決定条件１）を算出するものであってもよい。また、決定条件に基づく算出は、具体的には、たとえば、ステップＳ７０２において抽出された情報から、所定の位置の範囲（たとえば、仰角６０°以上の範囲）内において、有効衛星が所定個数（たとえば４個）以上になる時刻（決定条件２）を算出するものであってもよい。また、決定条件に基づく算出は、具体的には、たとえば、ステップＳ７０２において抽出された情報から、所定の位置の範囲（たとえば、仰角６０°以上の範囲）内において、特定衛星が有効衛星となる時刻あるいは特定衛星が所定の位置の範囲内に存在する時刻（決定条件３）を算出するものであってもよい。
【００８４】
そして、決定条件に該当する時刻（時間帯）が存在するか否か（具体的には、たとえば、定刻受信予定日において、有効衛星が所定個数（たとえば７個）以上に該当する時刻（時間帯）が存在するか否か（決定条件１）、また、たとえば、定刻受信予定日において、所定の位置の範囲内において、有効衛星が所定個数（たとえば４個）以上に該当する時刻（時間帯）が存在するか否か（決定条件２）、また、たとえば、定刻受信予定日において、特定衛星が有効衛星になる時刻（時間帯）あるいは特定衛星が所定の位置の範囲内に存在する時刻（時間帯）が存在するか否か（決定条件３）を判断する（ステップＳ７０４）。
【００８５】
ここで、決定条件に該当する時刻が存在しない場合（ステップＳ７０４：Ｎｏ）は、後述する別処理をおこなう。
【００８６】
一方、該当する時刻が存在する場合（ステップＳ７０４：Ｙｅｓ）は、存在する時刻に、設定された条件（たとえば、決定条件２、決定条件３など）に合致するものがあるか否かを判断する（ステップＳ７０５）。ここで、上述した条件に合致するものがない場合（ステップＳ７０５：Ｎｏ）は、該当する時刻が存在しない場合（ステップＳ７０４：Ｎｏ）と同様に、別処理をおこなう。また、図示は省略するが、ステップＳ７０４（決定条件１）のみで受信時刻を判断できる場合は、ステップＳ７０５の処理をおこなうことなく、ステップＳ７０６へ移行するようにしてもよい。
【００８７】
定刻受信予定日において条件を満たす時刻（時間帯）が存在しない場合の別処理としては、たとえば、定刻受信予定日の翌日または前日を、新たな定刻受信予定日とし、ステップＳ７０１へ戻るようにしてもよい。また、定刻受信予定日の翌日または前日以外の所定の日であって、定刻受信予定日の前後の日を、新たな定刻受信予定日とし、ステップＳ７０１へ戻るようにしてもよい。また、つぎの定刻受信予定日まで受信をおこなわないとして、一連の処理を終了させるようにしてもよい。
【００８８】
ステップＳ７０５において、存在する時刻に、設定された条件に合致するものがある場合（ステップＳ７０５：Ｙｅｓ）は、つぎに、その時刻が複数存在するか否かを判断する（ステップＳ７０６）。ここで、複数存在する場合（ステップＳ７０６：Ｙｅｓ）は、絞り込み処理をおこなう（ステップＳ７０７）。
【００８９】
絞り込み処理は、上述のように、１つの時刻に絞り込んでもよく、複数（たとえば３つ）の時刻に絞り込んでもよい。１つに絞り込む場合は、複数存在する時刻のうち、定刻受信予定日において、最も早い時刻、もしくは、最も遅い時刻とするようにしてもよい。また、３つ以上の時刻が存在する場合、最も早い時刻および最も遅い時刻を除外したいずれかの時刻とするようにしてもよい。また、定刻受信予定日のうち、現在における日中の時間帯（太陽が出ている時間帯）としてもよく、それ以外の時間帯としてもよい。
【００９０】
また、絞り込み処理は、過去に決定した時刻（時間帯）に絞り込んでもよく、また、過去に決定して、かつ、衛星信号の受信が成功した時刻（時間帯）に絞り込んでもよい。また、絞り込み処理は、複数存在する時刻のうちからランダムに選定することで絞り込むようにしてもよい。
【００９１】
また、複数の時刻に絞り込む場合は、上述のように各絞り込み条件から求められた候補にさらに優先順位を決定し、早い時刻順に受信時刻に設定するようにしてもよい。
【００９２】
ステップＳ７０６において、一つのみ存在する場合（ステップＳ７０６：Ｎｏ）は、絞り込み処理をおこなわず、ステップＳ７０８へ移行する。そして、絞り込み処理によって絞り込んだ時刻を、当該定刻受信予定日における受信開始時刻に決定し（ステップＳ７０８）、たとえば記憶部などの記憶領域に保存し（ステップＳ７０９）、一連の処理を終了する。
【００９３】
上述のように、受信時刻を求めるために時計内部でＧＰＳ衛星の運行状況から計算したが、時計内部で運行状況を計算すると、その分だけ演算時間が増加し、消費電力が大きくなってしまう。そこで、運行状況から経度緯度ごとの最適な時刻、もしくは、最適な時刻候補を求める作業を、外部装置（たとえばＰＣなど）におこなわせ、この最適な時刻または最適な時刻候補を上述の外部通信回路２０６によって記憶手段２０３ｆに記憶させて、直接時刻設定するようにしてもよい。衛星の運行状況に関する情報には、この最適な時刻または最適な時刻候補を含めるようにしてもよい。
【００９４】
（電波の受信処理の手順）
つぎに、人工衛星からの電波（衛星信号）の受信処理の手順について説明する。図８は、人工衛星からの電波の受信にかかる制御部の処理手順の一例を示すフローチャートである。図８のフローチャートにおいて、まず、定刻受信予定日になるのを待って（ステップＳ８０１：Ｎｏ）、定刻受信予定日になった場合（ステップＳ８０１：Ｙｅｓ）は、受信開始時刻になるのを待つ（ステップＳ８０２：Ｎｏ）。そして、受信開始時刻になった場合（ステップＳ８０２：Ｙｅｓ）は、衛星信号の受信処理を実行する（ステップＳ８０３）。
【００９５】
つぎに、受信に成功したか否かを判断する（ステップＳ８０４）。成功しなかった（失敗した）場合には、受信の際に、蓄電量や発電量が十分ではなかったために、受信処理自体を開始しなかった場合を含む。受信に成功した場合（ステップＳ８０４：Ｙｅｓ）は、受信した衛星信号に基づいて、時刻を修正し（ステップＳ８０５）、現在地に関する情報を更新する（ステップＳ８０６）。
【００９６】
ここで、現在地を更新するステップＳ８０６は必ずしも毎回おこなう必要はなく、ステップＳ８０５の時刻修正をおこなった後、ステップＳ８０６をおこなわずにつぎのステップＳ８０７に進んでもよい。人工衛星による測位は、測時のときに比べて計算時間が長く、またその分消費電力も大きく、同じ位置情報もしくは同じ位置情報に属する地域である場合には、測位する必要がないためである。そこで、現在地を更新するステップＳ８０６は、所定の日数または受信回数おきにおこなうようしたり、使用者が任意に選択したりするようにしてもよい。また使用者が任意の位置情報を設定したり、強制受信によって測位済みであったりする場合には、同様に所定期間または所定条件の間は、ステップＳ８０６をおこなわないようにしてもよい。
【００９７】
そして、つぎの定刻受信予定日における受信開始時刻がすでに決まっているか否かを判断する（ステップＳ８０７）。ここで、未だ決まっていない場合（ステップＳ８０７：Ｎｏ）は、図７のフローチャートにおけるステップＳ７０１へ移行し、受信開始時刻の決定処理をおこなう。一方、つぎの定刻受信予定日における受信開始時刻がすでに決まっている場合（ステップＳ８０７：Ｙｅｓ）は、一連の処理を終了する。
【００９８】
ステップＳ８０４において、受信に失敗した場合（ステップＳ８０４：Ｎｏ）は、別処理をおこなう。衛星信号の受信に失敗した場合の別処理としては、たとえば、当該定刻受信予定日の翌日を新たな定刻受信予定日とし、当該新たな定刻受信予定日における受信開始時刻の決定処理をおこない（図７を参照）、翌日（新たな定刻受信予定日）になった場合に、ステップＳ８０１からの各処理を実行するようにしてもよい。
【００９９】
また、当該翌日以外の所定の日であって、定刻受信予定日の後の日を新たな定刻受信予定日として、同様の処理をおこなうようにしてもよい。また、つぎの定刻受信予定日まで受信をおこなわないとして、一連の処理を終了させるようにしてもよい。
【０１００】
なお、ステップＳ８０２において、受信開始時刻になったとき（ステップＳ８０２：Ｙｅｓ）、図示は省略するが、さらに新たな条件として、屋内にいるか屋外にいるかについて判断する処理をおこなうようにしてもよい。そして、屋内にいると判断した場合は、ステップＳ８０３の衛星信号受信処理はおこなわずに、つぎの受信候補時刻まで待機するようにしてもよい。
【０１０１】
また、屋内にいると判断した場合は、上述した通知手段などを用いて、屋外に出るように促すようにしてもよい。このとき屋内にいるか屋外にいるかの判断は、たとえば、上述したソーラーセルの発電量による明暗判定によりおこなうようにしてもよい。
【０１０２】
またさらに新たな条件として、屋内にいるか屋外にいるかという判断に代えて、あるいは、当該判断に加えて、電源２０４の蓄電量が所定値以上であるか否かについて判断する処理をおこなうようにしてもよい。
【０１０３】
（人工衛星の運行状況に関する情報の更新処理のタイミング）
つぎに、人工衛星の運行状況に関する情報の更新処理のタイミングについて説明する。図９は、人工衛星の運行状況に関する情報の更新処理のタイミングの一例を示すフローチャートである。図９のフローチャートにおいて、所定のタイミングとなったか否かを判断する（ステップＳ９０１）。所定のタイミングとは、たとえば、毎月１回など定期的な間隔であってもよく、前回の更新から６ヵ月後という間隔であってもよい。
【０１０４】
ここで、所定のタイミングとなった場合（ステップＳ９０１：Ｙｅｓ）は、ステップＳ９０３へ移行する。一方、所定のタイミングではない場合（ステップＳ９０１：Ｎｏ）は、人工衛星の運行状況に関する情報の更新指示があったか否かを判断する（ステップＳ９０２）。更新指示は、使用者による所定の操作によってなされてもよく、また、インターネットなどのネットワークを通じて、更新に関する情報を受信することによってなされてもよい。
【０１０５】
ステップＳ９０２において、更新指示がない場合（ステップＳ９０２：Ｎｏ）は、ステップＳ９０１へ戻る。一方、更新指示があった場合（ステップＳ９０２：Ｙｅｓ）は、ステップＳ９０３へ移行する。このように、所定のタイミングになった場合（ステップＳ９０１：Ｙｅｓ）および更新指示があった場合（ステップＳ９０２：Ｙｅｓ）に、人工衛星の運行状況に関する情報の更新処理を実行し（ステップＳ９０３）、一連の処理を終了する。
【０１０６】
（受信開始時刻の決定処理のタイミング）
つぎに、受信開始時刻の決定処理のタイミングについて説明する。受信開始時刻の決定処理は、図８のフローチャートのステップＳ８０７（：Ｎｏ）から、図７のフローチャートへ移行することからもわかるように、定刻受信が完了した直後に、つぎの定刻受信の受信開始時刻を決定するようにしてもよく、それよりも以前に、つぎの定刻受信の受信開始時刻を決定しておいてもよい（同ステップＳ８０７（：Ｙｅｓ））。
【０１０７】
図１０は、受信開始時刻の決定処理のタイミングの一例を示すフローチャートである。図１０のフローチャートは、定刻受信がおこなわれる以前に、つぎの定刻受信の受信開始時刻を決定している場合を示している。図１０のフローチャートにおいて、ステップＳ１００１において、定刻受信予定日が変更になったか否かを判断する。定刻受信予定日が変更になる場合は、たとえば、図７のフローチャートにおいて示した別処理において、変更した場合、図８のフローチャートにおいて示した別処理において、変更した場合、使用者の操作によって変更された場合などである。
【０１０８】
また、ステップＳ１００２において、受信開始時刻決定処理の条件が変更になったか否かを判断する。受信開始時刻決定処理の条件（たとえば上述した決定条件１〜決定条件３などが変更される場合は、たとえば、使用者の操作によって変更された場合などである。衛星信号の受信が所定回数以上失敗した場合に、当該条件を自動的に変更する場合などであってもよい。
【０１０９】
また、ステップＳ１００３において、現在地が変更となったか否かを判断する。現在地が変更となったか否かは、たとえば、図８のフローチャートにおいて示したステップＳ８０６の処理によって判断することができる。また、使用者の操作によっても判断することができる。
【０１１０】
また、ステップＳ１００４において、人工衛星の運行状況に関する情報の更新処理が完了したか否かを判断する。人工衛星の運行状況に関する情報の更新処理が完了したか否かは、たとえば、図９のフローチャートにおいて示したステップＳ９０３の処理によって判断することができる。
【０１１１】
このように、ステップＳ１００１〜ステップＳ１００４のいずれかの判断において肯定となった場合（ステップＳ１００１：Ｙｅｓ、Ｓ１００２：Ｙｅｓ、Ｓ１００３：Ｙｅｓ、Ｓ１００４：Ｙｅｓのいずれか）に、受信開始時刻の決定処理を実行し（ステップＳ１００５）、ステップＳ１００１へ戻る。受信開始時刻の決定処理は、図７のフローチャートに示したとおりの処理である。一方、ステップＳ１００１〜ステップＳ１００４のいずれの判断においても否定となった場合（ステップＳ１００１：Ｎｏ、Ｓ１００２：Ｎｏ、Ｓ１００３：Ｎｏ、およびＳ１００４：Ｎｏ）には、ステップＳ１００１へ戻り、いずれかのステップにおいて肯定されるまで、ステップＳ１００１〜ステップＳ１００４の各判断処理を繰り返す。
【０１１２】
以上説明したように、この発明にかかる実施の形態の電子機器を実現する電波修正時計１００は、時刻を計時する計時部３０１と、衛星からの衛星信号を受信する受信部３０２と、受信部３０２によって受信された信号に基づいて、時刻を修正する制御部３００と、衛星の運行状況に関する情報を記憶する記憶部３０３と、を備え、制御部３００が、記憶部３０３に記憶されている情報に基づいて、所定の日（たとえば「定刻受信予定日」）において、受信部３０２が衛星信号の受信を開始する受信開始時刻を決定する。これにより、捕捉できる衛星が刻々と変化する状況下で、それを考慮した受信開始時刻とすることができるため、受信処理の成功率を向上させてより確実に定刻受信をおこなうことができる。これにより、受信処理の成功率を向上させることによって、定刻受信における電力の消費を抑制することができ、電子機器の省電力化を実現することができる。
【０１１３】
また、この発明にかかる実施の形態の電子機器を実現する電波修正時計１００は、制御部３００が、所定の日（たとえば「定刻受信予定日」）において、受信可能な衛星信号を送信する有効衛星が所定個数以上存在する時刻を受信開始時刻とするため、受信開始の際に、捕捉できる衛星を所定数確保することによって、受信処理の成功率を向上させることができる。
【０１１４】
また、この発明にかかる実施の形態の電子機器を実現する電波修正時計１００は、制御部３００は、所定の日（たとえば「定刻受信予定日」）において、受信可能な衛星信号を送信する有効衛星が所定の位置の範囲（たとえば仰角６０°以上の範囲）内に所定個数以上存在する時刻を受信開始時刻とするため、受信開始の際に、より確実に捕捉できる衛星を所定数確保することによって、受信処理の成功率をさらに向上させることができる。
【０１１５】
また、この発明にかかる実施の形態の電子機器を実現する電波修正時計１００は、制御部３００が、所定の日（たとえば「定刻受信予定日」）における所定の衛星（特定衛星）の運行状況に基づいて、受信開始時刻を決定するため、各衛星の特徴（たとえば受信の成功のしやすさ）などを考慮することによって、受信処理の成功率をさらに向上させることができる。
【０１１６】
また、この発明にかかる実施の形態の電子機器を実現する電波修正時計１００は、さらに、記憶部３０３に記憶されている情報を更新する情報更新部３０４を備えるため、より最新で正確な情報を用いて衛星の運行状況を把握することができるため、受信開始の際に、より確実に捕捉できる衛星を所定数確保することによって、受信処理の成功率をさらに向上させることができる。
【０１１７】
なお、この発明にかかる実施の形態の電子機器を実現する電波修正時計１００では、定刻受信予定日を決定し、その定刻受信予定日における受信開始時刻を衛星の運行状況に基づいて決定することとしたが、これに限定されるものではなく、たとえば、定刻受信予定日に幅を持たせておき（たとえば、「８月の第１週と、第３週」など）受信開始時刻を先に決定し（たとえば、「日中の１４時」など）、当該受信開始時刻において衛星の運行状況から、８月の第１週の中から、最適な定刻受信予定日を決定するようにしてもよい。
【産業上の利用可能性】
【０１１８】
以上のように、この発明にかかる電子機器は、衛星信号を受信し、現在時刻の測時・現在位置の測位をする電子機器に有用であり、特に、ＧＰＳ信号を含む電波を定刻受信する電子機器に適している。
【符号の説明】
【０１１９】
１００    電波修正時計
１０４    操作手段
１０５    文字板
１０６    時刻指示針
２０１    アンテナ
２０２    受信回路
２０３    制御回路
２０３ｆ  記憶手段
２０６    外部通信回路
３００    制御部
３０１    計時部
３０２    受信部
３０３    記憶部
３０４    情報更新部
３０５    表示部
【図１】
0006529394.tif 000002
【図２】
0006529394.tif 000003
【図３】
0006529394.tif 000004
【図４】
0006529394.tif 000005
【図５】
0006529394.tif 000006
【図６Ａ】
0006529394.tif 000007
【図６Ｂ】
0006529394.tif 000008
【図６Ｃ】
0006529394.tif 000009
【図６Ｄ】
0006529394.tif 000010
【図７】
0006529394.tif 000011
【図８】
0006529394.tif 000012
【図９】
0006529394.tif 000013
【図１０】
0006529394.tif 000014